(57)【要約】【課題】ＡＤＦの原稿と次原稿の混在読み取り（混在送信又は混在コピー）を確実に行える通信端末装置及び画像形成装置を提供する。【解決手段】原稿読取位置に原稿を自動供給する原稿自動供給装置（ＡＤＦ）と、原稿載置台に載置された原稿を読み取るフラットベッドスキャナ（ＦＢＳ）と、ＡＤＦ又はＦＢＳで読み取った原稿画像を送信する送信手段と、同原稿画像を印字する印字手段と、ＡＤＦの原稿又はＦＢＳの原稿の読み取り開始を指示するスタートキー１６ｃを有する操作部２６と、原稿の読み取り及び原稿画像の送信及び印字を制御する制御手段とを備える。操作部２６は、ＡＤＦの原稿及び次原稿の混在読み取りを指示するおまかせキー１６ｆを有する。制御手段は、混在読み取りの指示があった場合に、ＡＤＦの原稿の読み取り終了後、所定時間だけ次原稿（ＦＢＳの原稿）の読み取り開始指示待ち状態にする。【選択図】      図３
2004260405.tif 000002
【特許請求の範囲】
【請求項１】
原稿読取位置に原稿を自動供給する原稿自動供給装置と、原稿載置台に載置された原稿を読み取るフラットベッドスキャナと、原稿自動供給装置又はフラットベッドスキャナで読み取った原稿画像を送信する送信手段と、原稿自動供給装置の原稿又はフラットベッドスキャナの原稿の読み取り開始を指示するキーを有する操作手段と、原稿の読み取り及び原稿画像の送信を制御する制御手段とを備える通信端末装置であって、
操作手段は、原稿自動供給装置の原稿及び次原稿の混在読み取りを指示するキーを有し、制御手段は、混在読み取りの指示があった場合に、原稿自動供給装置の原稿の読み取り終了後、所定時間だけ次原稿の読み取り開始指示待ち状態にすることを特徴とする通信端末装置。
【請求項２】
前記操作部は、次原稿の読み取り開始指示待ち機能を登録できる多機能キーを有し、前記制御手段は、原稿自動供給装置の原稿の読み取り開始指示が行われる前に、その多機能キーが操作されると、原稿自動供給装置の原稿の読み取り終了後、所定時間だけ次原稿の読み取り開始指示待ち状態にすることを特徴とする請求項１記載の通信端末装置。
【請求項３】
原稿読取位置に原稿を自動供給する原稿自動供給装置と、原稿載置台に載置された原稿を読み取るフラットベッドスキャナと、原稿自動供給装置又はフラットベッドスキャナで読み取った原稿画像を印字する印字手段と、原稿自動供給装置の原稿又はフラットベッドスキャナの原稿の読み取り開始を指示するキーを有する操作手段と、原稿の読み取り及び原稿画像の印字を制御する制御手段とを備える画像形成装置であって、
操作手段は、原稿自動供給装置の原稿及び次原稿の混在読み取りを指示するキーを有し、制御手段は、混在読み取りの指示があった場合に、原稿自動供給装置の原稿の読み取り終了後、所定時間だけ次原稿の読み取り開始指示待ち状態にすることを特徴とする画像形成装置。
【請求項４】
前記操作部は、次原稿の読み取り開始指示待ち機能を登録できる多機能キーを有し、前記制御手段は、原稿自動供給装置の原稿の読み取り開始指示が行われる前に、その多機能キーが操作されると、原稿自動供給装置の原稿の読み取り終了後、所定時間だけ次原稿の読み取り開始指示待ち状態にすることを特徴とする請求項３記載の画像形成装置。
【発明の詳細な説明】
【０００１】
【発明の属する技術分野】
この発明は、ファクシミリ装置、コピー装置、或いはファクシミリ機能とコピー機能を併有する複合機等に使用される通信端末装置及び画像形成装置に関する。
【０００２】
【従来の技術】
ファクシミリ装置やコピー装置等には、原稿読取位置に原稿を自動供給する原稿自動供給装置（ＡＤＦ）と、原稿載置台に載置された原稿を読み取るフラットベッドスキャナ（ＦＢＳ）とを備えるものがある。
【０００３】
ＦＢＳの原稿の読み取りでは、読み取り終了後もしばらくは次原稿受付（次原稿の有無入力）が可能であるが、ＡＤＦの原稿の読み取りでは、ＡＤＦの原稿の読み取り中にのみ次原稿受付が可能である。
【０００４】
一方、ＡＤＦを使用しない場合（ＦＢＳを使用する場合）又は原稿１枚送りモードでＡＤＦを使用する場合、複数枚の原稿を読み取って記憶して蓄積する際、原稿の読み取り中又は原稿の読み取り後に、その原稿が最後の原稿かもしくは次の原稿があるかを選択するようにした技術もある（例えば、特許文献１参照）。
【０００５】
【特許文献１】
特開平１０−１０７９４７号公報
【０００６】
【発明が解決しようとする課題】
ところで、ＡＤＦの原稿とＦＢＳの原稿の混在読み取り（混在送信又は混在コピー）をする場合、最初にＦＢＳの原稿を読み取ってからＡＤＦの原稿を読み取るときは、上記から明らかなようにＦＢＳの原稿の読み取り終了後にＡＤＦの原稿の読み取り指示を行うことができる。
【０００７】
しかしながら、例えばＡＤＦで１枚のＡ４原稿だけを読み取るときには、その短時間の読み取り中に次原稿有り（続けてＦＢＳの原稿の読み取りを行う指示）を入力することは困難である。従って、次原稿有りを入力するまでに、ＡＤＦの原稿の読み取りが終了し、直ちに送信又は印字を開始してしまい、ＡＤＦの原稿の読み取り後に続けて次原稿の読み取りを行うことができない。
【０００８】
上記特許文献１記載の技術では、例えば４枚や２枚の原稿を１枚の用紙に編集してコピーする場合に、１枚の原稿をＡＤＦ又はＦＢＳにセットし、コピーキーが入力されるごとに、“次の原稿がありますか”という案内が表示され、次の原稿があるときはＹＥＳキーを入力し、読み取った原稿画像をメモリに記憶していき、全ての原稿の読み取りが終了すると、４枚や２枚の原稿画像が１枚の用紙に印字されるようになっている。
【０００９】
この技術によれば、次原稿有りの指示を１枚ずつ行うことはできるが、複数枚の原稿をまとめて読み取ることはできない上に、原稿を１枚ずつ読み取るたびにＹＥＳキーを入力しなければならない。つまり、ＡＤＦの原稿とＦＢＳの原稿の混在送信又は混在コピーをするのではない。
【００１０】
この発明は、そのような問題点に着目してなされたものであって、ＡＤＦの原稿と次原稿の混在読み取り（混在送信又は混在コピー）を確実に行える通信端末装置及び画像形成装置を提供することを目的としている。
【００１１】
【課題を解決するための手段】
前記目的を達成するために、この発明の通信端末装置は、原稿読取位置に原稿を自動供給する原稿自動供給装置と、原稿載置台に載置された原稿を読み取るフラットベッドスキャナと、原稿自動供給装置又はフラットベッドスキャナで読み取った原稿画像を送信する送信手段と、原稿自動供給装置の原稿又はフラットベッドスキャナの原稿の読み取り開始を指示するキーを有する操作手段と、原稿の読み取り及び原稿画像の送信を制御する制御手段とを備えるものであって、操作手段は、原稿自動供給装置の原稿及び次原稿の混在読み取りを指示するキーを有し、制御手段は、混在読み取りの指示があった場合に、原稿自動供給装置の原稿の読み取り終了後、所定時間だけ次原稿の読み取り開始指示待ち状態にすることを特徴とする。
【００１２】
また、この発明の画像形成装置は、原稿読取位置に原稿を自動供給する原稿自動供給装置と、原稿載置台に載置された原稿を読み取るフラットベッドスキャナと、原稿自動供給装置又はフラットベッドスキャナで読み取った原稿画像を印字する印字手段と、原稿自動供給装置の原稿又はフラットベッドスキャナの原稿の読み取り開始を指示するキーを有する操作手段と、原稿の読み取り及び原稿画像の印字を制御する制御手段とを備えるものであって、操作手段は、原稿自動供給装置の原稿及び次原稿の混在読み取りを指示するキーを有し、制御手段は、混在読み取りの指示があった場合に、原稿自動供給装置の原稿の読み取り終了後、所定時間だけ次原稿の読み取り開始指示待ち状態にすることを特徴とする。
【００１３】
本発明の通信端末装置及び画像形成装置では、操作手段の混在読み取りを指示するキーを操作すると、原稿自動供給装置（ＡＤＦ）の原稿の読み取り終了後、所定時間だけ次原稿の読み取り開始指示待ち状態となるため、この待ち状態のときに次原稿の読み取り開始指示として、例えばフラットベッドスキャナ（ＦＢＳ）の原稿の読み取り開始を指示することができる。
【００１４】
すなわち、ＡＤＦの原稿の読み取り終了後、その読み取った原稿画像を直ちに送信又は印字しないで、次原稿（例えばＦＢＳの原稿）有りの入力待ち状態となるので、その入力待ち状態のときに次原稿有りの入力を慌てずに行うことができる結果、ＡＤＦの原稿と次原稿の混在読み取り（混在送信又は混在コピー）を確実に行うことができる。
【００１５】
本発明の通信端末装置及び画像形成装置において、操作部は次原稿の読み取り開始指示待ち機能を登録できる多機能キーを有し、制御手段はＡＤＦの原稿の読み取り開始指示が行われる前に、その多機能キーが操作されると、ＡＤＦの原稿の読み取り終了後、所定時間だけ次原稿の読み取り開始指示待ち状態にすることとすれば、次原稿有りを指示するための専用キーを設ける必要がなくなる。
【００１６】
【発明の実施の形態】
以下、実施の形態により、この発明を更に詳細に説明する。
【００１７】
その実施形態に係る通信端末装置及び画像形成装置を備えた複合機の外観斜視図を図１に示す。
【００１８】
この複合機は、ファクシミリ機能とコピー機能を兼有するものであり、本体上部に配置されたフラットベッドスキャナ（ＦＢＳ）２０と、本体上部の左寄りの位置に配置された原稿自動供給装置（ＡＤＦ）３０と、本体に手前側へ引き出し可能に収納された給紙カセット３５，３６とを備える。ここでは、２つの給紙カセット３５，３６が用意されているが、３つ以上でもよいのは勿論である。また、複合機は、本体上部の手前側に、ＬＣＤ等の表示部２５と、後記テンキー、スタートキー、ワンタッチキー、多機能キー等を有する操作部２６とを備える。
【００１９】
ＦＢＳ２０は、本体の奥寄りの位置にヒンジ連結されたブックプラテンカバー２２を有し、このブックプラテンカバー２２は本体に対して手前側が開閉可能である。図面には示されていないが、ブックプラテンカバー２２を開けると、原稿載置台として透明なガラスが配置されている。このブックプラテンカバー２２は、ＡＤＦ３０に供給される原稿が載置される原稿供給トレイ２１を上部に有するとともに、上面がＡＤＦ３０によって送られて読み取られた原稿が排出される原稿排出トレイになっている。
【００２０】
原稿供給トレイ２１には、一対の原稿ガイド２３が当該トレイ２１にセットされた原稿の給紙方向と直交する方向にスライド可能に備えられている。この一対の原稿ガイド２３は原稿供給トレイ２１上でその中心線から常に等距離に位置するように連動する構成となっており、互いに同距離だけ反対方向に移動する。
【００２１】
この複合機の構成の一例を示すブロック図を図２に示す。図２において、主制御部（制御手段）としてのＣＰＵ（中央処理装置）１は、当該複合機を構成する各部を統括制御する機能を有する。また、ＣＰＵ１は、後述するように、混在読み取りの指示があった場合に、ＡＤＦの原稿の読み取り終了後、所定時間だけ次原稿の読み取り開始指示待ち状態にする機能を有する。
【００２２】
このＣＰＵ１には、送信手段の構成要素としてのＮＣＵ（網制御回路：      Ｎｅｔｗｏｒｋ  Ｃｏｎｔｒｏｌ  Ｕｎｉｔ）２と、同じく送信手段の構成要素としてのＭＯＤＥＭ３と、ＲＯＭ４と、ＲＡＭ５と、画像メモリ６と、表示部７（前記表示部２５）と、操作部８（前記操作部２６）と、画像読み取り部９と、印字手段としての画像記録部１０と、送信手段の構成要素としてのＣＯＤＥＣ（符号化・復号器：    Ｃｏｄｅｒ  ａｎｄ  Ｄｅｃｏｄｅｒ  ）１１と、ＬＡＮ  Ｉ／Ｆ１２とがバス１３を介して接続されている。
【００２３】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．８に従ったファクシミリ伝送制御手順に基づいて、Ｖ．１７、Ｖ．２７ｔｅｒ、Ｖ．２９等に従った送信データの変調及び受信データの復調を行う。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。
【００２４】
ＲＯＭ４は、この複合機全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データも圧縮状態で記憶する。
【００２５】
表示部７は、アイコン、キーボタン、データの送受信に必要なメッセージ内容、ワンタッチ登録モードでの登録操作方法、ワンタッチ登録画面等の他、操作部８の操作により入力された電話番号やＦＡＸ番号等を表示する。この表示部７としては、ＣＲＴディスプレイやＬＣＤ（液晶表示装置）が用いられる。
【００２６】
操作部８は、図３に示すように、電話番号、ＦＡＸ番号等を入力するためのテンキー（＊，＃キーを含む）１６ａと、予め登録したＦＡＸ番号をワンタッチで指定するためのワンタッチキー１６ｂと、原稿の読み取り動作を開始させるためのスタートキー１６ｃと、「通信（ＦＡＸ）」モード又は「コピー」モードに設定するための通信／コピーキー１６ｄと、次原稿受付機能等の一連の操作を登録するための多機能キー（Ｍ１〜Ｍ４）１６ｅと、ＡＤＦの原稿及び次原稿の混在読み取りを指示するキー（おまかせキー）１６ｆと、表示部２５に表示されたカーソルを移動させたり表示項目を選択するための十字キー１６ｇと、各モードにおいて表示部２５の画面下に表示されたメニューを選択するためのメニューキー１６ｈと、多機能キー１６ｅに一連の操作を登録するときに選択項目を決定するためのセットキー１６ｉと、多機能キー１６ｅに一連の操作を登録するときに選択画面を前画面に戻す戻るキー１６ｊとを備えている。
【００２７】
画像読み取り部９は、ＦＡＸ送信するとき又はコピーするときに、原稿の画像データを光学的に走査して読み取る。画像記録部１０は、電子写真方式のプリンタよりなり、受信画像データやコピー動作において画像読み取り部９で読み取った原稿の画像データを用紙上に記録する。
【００２８】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ  Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００２９】
この複合機では、操作部２６のおまかせキー１６ｆを操作すると、すなわちＡＤＦの原稿及び次原稿の混在読み取りを指示すると、ＡＤＦの原稿の読み取り終了後、所定時間だけ次原稿の読み取り開始指示待ち状態となる。この待ち状態のときに、例えばＦＢＳに原稿をセットしてスタートキー１６ｃを操作すると、ＡＤＦの原稿の画像データを送信又は印字することなく、ＦＢＳの原稿の読み取りが開始する。ＦＢＳの原稿の読み取りが終了すると、通信モードのときはＡＤＦの原稿及びＦＢＳの原稿の画像データがＮＣＵ２及びＭＯＤＥＭ３により送信され、コピーモードのときは同画像データが画像記録部１０により印字される。
【００３０】
また、おまかせキー１６ｆにより、一連の操作を多機能キー（Ｍ１〜Ｍ４）１６ｅに登録することもできる。１つの多機能キーには例えば６０ステップの操作を登録できる。ここでいうステップとは、キーを１回選択又は押す操作である。この登録について概説する。
【００３１】
まず、おまかせキー１６ｆを押すと、表示部２５に種々の選択項目が表示されるので、その中から“登録”をカーソルキー１６ｇで選択し、セットキー１６ｉを押す。すると、多機能キーの“Ｍ１〜Ｍ４”が表示されるので、登録したい多機能キー（Ｍ１〜Ｍ４）を押すか、カーソルキー１６ｇで選択し、セットキー１６ｉを押す。次に、登録したい操作を行う。この登録のときに、ＡＤＦの原稿の読み取り開始、ＦＢＳの原稿の読み取り開始等の一連の操作を順に登録しておけば、以後にＡＤＦの原稿及びＦＢＳの原稿の混在読み取りを行う場合、ＡＤＦとＦＢＳにそれぞれ原稿をセットしてから、当該多機能キーを１回押せば、混在読み取りが自動的に実行される。
【００３２】
一連の操作の登録が済んだら、おまかせキー１６ｆを押し、登録を終了する。その後、登録した機能に関するタイトル（ＡＤＦの原稿とＦＢＳの原稿の混在読み取りの場合、例えば“ＡＤＦの原稿とＦＢＳの原稿の混在読み取り”を入力し、セットキー１６ｉを押すと、登録が完了する。
【００３３】
次に、上記のように構成した複合機において、ＡＤＦの原稿及びＦＢＳの原稿の混在読み取りを行う場合の動作について、図４及び図５のフロー図を参照して説明する。
【００３４】
まず、図４のステップＳＴ１において、ユーザによりＡＤＦ３０に係る原稿供給トレイ２１に原稿がセットされると、ステップＳＴ２において、操作部２６のおまかせキー１６ｆがＯＮされたかどうか判定する。おまかせキー１６ｆがＯＮされないときは、ステップＳＴ７において、スタートキー１６ｃがＯＮされたか判定し、ＹＥＳなら、ＡＤＦ３０の原稿のみの読み取りを開始する。すなわち、ステップＳＴ８において、ＡＤＦ３０（原稿供給トレイ２１）にセットされた原稿の読み取りを開始し、ステップ９において、読み取りが終了したか判定し、読み取りが終了すると、ステップＳＴ１０において、読み取った原稿画像を送信（通信モード時）又は印字（コピーモード時）し、当該処理を終了する。
【００３５】
これに対して、ステップＳＴ２において、おまかせキー１６ｆがＯＮされたときは、ステップＳＴ３において、スタートキー１６ｃがＯＮされたか判定する。ここで、スタートキー１６ｃがＯＮされると、ステップＳＴ４において、ＡＤＦ３０にセットされた原稿の読み取りを開始し、ステップＳＴ５において、読み取りが終了したか判定し、読み取りが終了すると、ステップＳＴ６において、タイマＴが計時を開始する。
【００３６】
次いで、図５のステップＳＴ１１において、ユーザによりＦＢＳ２０のブックプラテンカバー２２が開けられ、原稿載置台に原稿がセットされると、ステップＳＴ１２において、スタートキー１６ｃがＯＮされたか判定する。
【００３７】
ＯＮされないときは、ステップＳＴ１６において、タイマＴがタイムアップしたか判定し、まだのときは、ステップＳＴ１２に戻る。タイマＴがタイムアップするまで（約３秒間）、ステップＳＴ１２とＳＴ１６を繰り返すことで、ＡＤＦの原稿の読み取り終了後の次原稿の読み取り開始指示待ち状態となる。この待ち状態のときに、スタートキー１６ｃがＯＮされずに、タイマＴがタイムアップすると、ステップＳＴ１７において、表示部２５にエラーを表示するとともに、ステップＳＴ１８において、ＡＤＦ３０の原稿画像の送信又は印字を停止し、当該処理を終了する。なお、ステップＳＴ１７のエラー表示に併せて、警告音（ブザー音）により報知してもよい。
【００３８】
これに対して、待ち状態のときに、スタートキー１６ｃがＯＮされると、ステップＳＴ１３において、ＦＢＳ２０にセットされた原稿（次原稿）の読み取りが開始し、ステップＳＴ１４において、読み取りが終了したか判定し、読み取りが終了すると、ステップＳＴ１５において、ＡＤＦ３０の原稿とＦＢＳ２０の次原稿の画像を送信（通信モード時）又は印字（コピーモード時）し、当該処理を終了する。
【００３９】
なお、上記フロー図では、タイマＴがタイムアップするまでにスタートキー１６ｃをＯＮしないと、エラー扱いになっているが、タイマＴがタイムアップした後に、例えば表示部２５に“ＡＤＦの原稿を送信又は印字しますか”を表示し、ユーザにその選択を委ねてもよい。ここで、ユーザがスタートキー１６ｃをＯＮすると、ＡＤＦ３０の原稿画像だけを送信又は印字し、所定時間ＯＦＦのままのときには送信又は印字を中止するようにする。これは、当初はＡＤＦの原稿及びＦＢＳの原稿の混在読み取りを行うことを意図していたが、途中でＡＤＦの原稿の読み取りだけでよくなった場合に対処するためである。
【００４０】
また、上記フロー図では、ＡＤＦの原稿の読み取り後、ＦＢＳの原稿の読み取りを行っているが、ＡＤＦの原稿の読み取り後、再びＡＤＦの次原稿の読み取りを行う場合も同様に適用できる。すなわち、上記フロー図のステップＳＴ１１でＡＤＦに原稿をセットし、スタートキーをＯＮすれば、ＡＤＦにセットされた次原稿を読み取り、読み取り終了後、ＡＤＦの最初の原稿と次原稿の画像を送信又は印字する。この場合、原稿枚数が多く、原稿供給トレイ２１に一度にセットできないようなときに便利である。
【００４１】
【発明の効果】
以上説明したように、請求項１，３記載の発明によれば、操作手段の混在読み取りを指示するキーを操作すると、ＡＤＦの原稿の読み取り終了後、その読み取った原稿画像を直ちに送信又は印字しないで、次原稿（例えばＦＢＳの原稿）有りの入力待ち状態となるので、その入力待ち状態のときに次原稿有りの入力を慌てずに行うことができる結果、ＡＤＦの原稿と次原稿の混在読み取り（混在送信又は混在コピー）を確実に行うことができる。
【００４２】
また、請求項２，４記載の発明によれば、次原稿有りを指示するための専用キーを設ける必要がなくなる。
【図面の簡単な説明】
【図１】実施形態に係る通信端末装置及び画像形成装置を備えた複合機（ファクシミリ機能とコピー機能を兼有するもの）の外観斜視図である。
【図２】同複合機の構成の一例を示すブロック図である。
【図３】同複合機の操作部の形態例を示す平面図である。
【図４】同複合機において、ＡＤＦの原稿及びＦＢＳの原稿の混在読み取りを行う場合の動作を示すフロー図である。
【図５】図４のフロー図に続くフロー図である。
【符号の説明】
１          主制御部（制御手段）
２          ＮＣＵ（送信手段）
３          ＭＯＤＥＭ（送信手段）
７，２５    表示部
８，２６    操作部
１０        画像記録部（印字手段）
１６ｃ      スタートキー
１６ｅ      多機能キー
１６ｆ      おまかせキー
１６ｉ      セットキー
２０        フラットベッドスキャナ（ＦＢＳ）
３０        原稿自動供給装置（ＡＤＦ）
【図１】
2004260405.tif 000003
【図２】
2004260405.tif 000004
【図３】
2004260405.tif 000005
【図４】
2004260405.tif 000006
【図５】
2004260405.tif 000007